(57)【要約】  受信者に関連情報を適宜に配信するシステム及び方法が得られる。複数のソースからの情報は、インターフェース装置を介して受信され、その装置は中央プロセッサが各情報ストリームを動的プロファイルを考慮して評価することを可能にし、そのプロファイルは加入者データベースに格納される。複数のロケーションセンサは、様々な受信者の位置を追跡及び報告する。プロセッサは、受信者に与えられるコンテンツを判別し、選択された情報を加入者に配信するために使用される配信モードを判別する。
2005510808.tif 000002
【特許請求の範囲】
【請求項１】
加入者に情報を選択的に配信するシステムであって：
前記加入者の情報趣向及び最新の場所を含む動的プロファイルを格納し、受信する情報に関する、前記加入者に利用可能な通信装置のリストを格納するデータベースであって、前記通信装置のリストは各装置に関連するアクセス情報を含むところのデータベース；
前記加入者の前記場所を判別するために前記データベースと通信するロケータシステム；
複数の情報ソースから情報を受信するコレクタであって、前記加入者の情報趣向及び前記最新の場所に従って、前記データベースと通信し、前記加入者に配信するために準備する情報を選択するプロセッサを有するコレクタ；
前記データベース及び前記コレクタと通信し、配信用に選択された情報をパッケージングする情報パッケージ部；及び
前記データベース及び前記情報パッケージ部と通信し、パッケージ情報のフォーマットを整え、前記加入者の場所に対応して列挙された通信装置の少なくとも１つを通じて前記加入者に送信する配信システム；
を有することを特徴とするシステム。
【請求項２】
前記情報が、受信されたフォーマットと実質的に同じフォーマットで前記加入者に送信される
ことを特徴とする請求項１記載のシステム。
【請求項３】
前記情報が、受信される時間と実質的に同じ時間に前記加入者に送信される
ことを特徴とする請求項２記載のシステム。
【請求項４】
前記情報が、前記加入者に送信されることが可能になるまで、格納装置に格納される
ことを特徴とする請求項２記載のシステム。
【請求項５】
更に、システムの動作を指示する制御プログラムを有する
ことを特徴とする請求項１記載のシステム。
【請求項６】
更に、前記配信システムによりフォーマット変換を指示するフォーマット変換プログラムを有する
ことを特徴とする請求項１記載のシステム。
【請求項７】
前記配信システムが、前記加入者に配信するために、音声信号を少なくとも１つのメッセージに変換することが可能である
ことを特徴とする請求項１記載のシステム。
【請求項８】
前記配信システムが、前記加入者に配信するために、テキスト情報を音声フォーマットに変換することが可能である
ことを特徴とする請求項１記載のシステム。
【請求項９】
パッケージングされる情報が、情報が送信される少なくとも１つの通信装置を指定する指標を有する
ことを特徴とする請求項１記載のシステム。
【請求項１０】
前記コレクタが、情報ネットワークを通じて利用可能な情報を見出すために能動的に探索する
ことを特徴とする請求項１記載のシステム。
【請求項１１】
前記情報ネットワークが、インターネットである
ことを特徴とする請求項１０記載のシステム。
【請求項１２】
前記コレクタが、見出されたウェブサイトからコンテンツを要求する
ことを特徴とする請求項１０記載のシステム。
【請求項１３】
前記パッケージ部が、１より多くの情報パッケージが前記加入者への送信に利用可能である場合に、情報パッケージを優先度付けする
ことを特徴とする請求項１記載のシステム。
【請求項１４】
前記コントローラが、前記パッケージ部に与える情報を判別する際に、所定のアルゴリズムに従って受信した情報の内容を分析する
ことを特徴とする請求項１記載のシステム。
【請求項１５】
前記情報パッケージ部が、前記加入者に配信するための増補された情報コンテンツを用意するために、様々なソースからの情報をパッケージングする
ことを特徴とする請求項１記載のシステム。
【請求項１６】
前記システムが、増補された情報コンテンツを用意する場合に使用する情報を自動的に探す
ことを特徴とする請求項１５記載のシステム。
【請求項１７】
前記ロケータシステムが、捕捉した視覚的画像を用いて前記加入者を見出すための少なくとも１つのカメラを含む
ことを特徴とする請求項１記載のシステム。
【請求項１８】
前記ロケータシステムが、ＧＰＳ信号を用いて前記加入者を見出すための少なくとも１つのグローバルポジショニングシステム（ＧＰＳ）を含む
ことを特徴とする請求項１記載のシステム。
【請求項１９】
前記ロケータシステムが、前記加入者があるロケーションから別のところへ動いたことの報知を与える
ことを特徴とする請求項１記載のシステム。
【請求項２０】
前記配信サブシステムが、前記報知を受信した後に、パッケージングされた情報を少なくとも第２の通信装置に送信する
ことを特徴とする請求項１９記載のシステム。
【請求項２１】
加入者に情報を選択的に配信する方法であって：
少なくとも１つの加入者の動的プロファイルと、情報を前記加入者装置に配信する通信装置のリストとを含むデータベースを維持するステップ；
複数のソースから情報を受信するステップ；
前記加入者の最新の場所を判別するステップ；
受信した情報の部分が前記加入者に配信されるべきことを判別するために、前記受信した情報を前記動的プロファイルと比較するステップ；
配信に適切であると判別された情報を含む情報パッケージを準備するステップ；及び
前記加入者の最新の場所に対応する列挙された１以上の通信装置により、前記加入者に情報パッケージを送信するステップ；
を有することを特徴とする方法。
【請求項２２】
加入者に送信するのに適切な情報パッケージを有する信号であって：
複数のソースから情報を受信し；
前記加入者の最新の場所を判別し；
受信した情報の部分が前記加入者に配信されるべきことを判別するために、前記受信した情報を、データベースに格納された加入者の動的プロファイルと比較し；
前記加入者の動的プロファイルから、前記加入者に情報を配信することの可能な通信装置のリストを判定し；
配信に適切であると判別された情報を含む情報パッケージを準備し；及び
前記加入者の最新の場所に対応する列挙された１以上の通信装置により、前記加入者に情報パッケージを送信する；
ことによって生成されることを特徴とする信号。
【発明の詳細な説明】
【技術分野】
【０００１】
本発明は、一般に電子情報配信システムに関し、特に、個人的情報を収集し、処理し及び適宜に効率的な手法で各人に配信する自動化システム及び方法に関連する。
【背景技術】
【０００２】
最近の電子通信システムの急激な成長以前では、「情報」に関する一般の各人の問題は、適宜に（タイムリーに）それにアクセスすることであった。ローカルなイベント、地域的な政治及び経済のニュースは、娯楽バリューのニュースでさえ、新聞、郵便又は口頭で伝えられていた。そのような方法は遅いだけでなく、配信時点で特定の個人に有効であった配信情報ほどには、それらは比較的一貫していなかった。そのような状況を改善できるごく少数の人々が存在していた：メディアソースのメンバは非常に限定されていた。人々の唯一の頼みは、それらに関してそれを実際に作成する彼らがニュース及び情報に関して最善を尽くすことであった。
【０００３】
情報配信の質は、当然に、放送無線及びテレビジョン並びに公衆交換電話ネットワークの到来と共に顕著に向上した。配信は実際上瞬時的である。しかしながら、行なわれた技術革新と同程度に改善されているが、関心のある情報を検索するために、各人は依然として適切な時点で特定の配信装置（例えば、電話機、テレビジョン又は無線機）の場所にいることを要求されていた。そして、少なくともＴＶ及び無線機の場合には、その日の特定の時間の場所が必要とされていた。情報は取得するのが非常に簡単になったが、実際上の理由により、配信は依然としていくつかの一貫しない方法で行なわれていた。
【０００４】
情報配信は新たな情報ネットワークとして更に発達し、それらを取り出すための新たな装置が導入された。無線セルラ電話は携帯式になり、各人と供に持ち運ばれ、その者は、発呼者（その者が電話接続をなすことのできるソース）から利用可能な情報に少なくともアクセスできる。パーソナルコンピュータは、それ自体は比較的非効率的な情報ソースであるが、ネットワークに接続されると、それらのユーザに広範な様々な情報へのアクセスを与える。ワールドワイドウェブとの接続と共に、インターネットの遍在性は、特に、多数のプロバイダの中から個人的に関心のある情報に各人がアクセスすることを可能にする。そして、パーソナルコンピュータは、より携帯可能になり、ある場所から別の場所へ移動しつつネットワーク接続の利用を簡易にしている。
【０００５】
電子通信におけるこれらの進歩は、多数のソースからの情報に多くのアクセスを与えただけでなく、間接的には、大量の情報の利用性さえももたらしている。利益の見込み、可視性、又は上手くいっている情報ソースに付す多くの公的広告による刺激（ｓｐｕｒｒｅｄ）により、多数のプロバイダは彼らの情報コンテンツを、インターネット、ブロードキャスト及び共同アンテナテレビ並びに様々な衛星通信ネットワークを通じて、全体的に公的に又は加入者に利用可能にする。ほとんどどこでも利用可能になった情報は、もはや一般的関心事でないようにする必要があるが、受信される多数のチャネルを考慮すると、それは一部の者に限られ、それにアクセスする少数人口部分にとって関心があるすぎないものとなる。
【０００６】
近年になされた進歩の全てに関し、それは尚も増加する情報量を与え続け、その情報は尚も増加する人口部分に容易に利用可能であり、情報へのアクセスは、以前とは異なる理由で懸念のまま残る。更に、タイムリーな情報アクセスは、配信の限定された手段によって大きく制限され、今日の主要な障害は、定常的に伝送される圧倒的なコンテンツ量である。これらは当然に放送を通じて効率的に広まった一般的関心事の事項、メール、電話及びファクシミリにより取得された純粋に個人的関心事の項目のまま残る。しかしながら、情報スペクトルのこれらの対向端の間の多くの情報量は、ほとんど一般的に利用可能に残るが、それと同時に、それは大量の他の情報と混ざるので、効率的な形式でアクセスすることは困難である。更に、情報受信者は今までよりも移動し、それらに関連するニュースの大量の情報供給を通じた並べ替えだけでなく、彼らが移動中にそれを行なうことも問題に残す。
【０００７】
個人の居場所にて、可能な最も好都合な時間に、パーソナライズされた手法で各人に関連する情報の配信を与える自動化法が必要とされている。本発明は、そのようなシステム及び方法を提供する。
【０００８】
（関連出願）
本願の譲受人に譲渡され、本願の参考に供せられる、Ｔｈｏｍａｓ  ＭｃＧｅｅ，Ｎｅｖｅｎｋａ  Ｄｉｍｉｔｒｏｖａ，ａｎｄ  Ｌａｌｉｔｈａ  Ａｇｎｉｈｏｔｒｉによる“Ｔｒａｎｓｃｒｉｐｔ  Ｔｒｉｇｇｅｒｓ  ｆｏｒ  Ｖｉｄｅｏ  Ｅｎｈａｎｃｅｍｅｎｔ”と題する出願番号第０９／６２７，１８８号のように、本発明は、受信者に配信する情報を探索及び処理する。
【発明の開示】
【発明が解決しようとする課題】
【０００９】
従来技術の上記の問題に対処するため、本発明の主目的は、加入者の個人的趣向及び現在位置に基づいて、様々な情報を広範に収集し、それを優先準位化し、その関連する適切な部分を加入者に選択的に配信するインテリジェント情報配信システムを提供することである。
【課題を解決するための手段】
【００１０】
一態様では、本発明は、関連する情報のタイムリーな配信を行なうシステムであり、そのシステムは複数の情報ネットワークインターフェースに接続された中央プロセッサを含む。インターフェースは、プロセッサによって分析されるまで入力をバッファリングするメモリをそれ自身有してもよい。加入者データベースは、プロセッサによりフィルタリングする情報処理を制御するための動的ユーザ属性又はダイナミックユーザプロファイルを含む。システムデータベースは、フィルタ処理された内容が適切に配信されるように、各受信者に関する現在の優先度で重み付けされた位置情報をも含む。複数のロケーションセンサは、システムデータベース内の格納部に現在の位置情報を与える。好適実施例では、システムは、主要なコンテンツストリームを拡張する付加的な関連情報コンテンツを自動的に探索する。
【００１１】
他の態様では、本発明は、関連情報のタイムリーな配信を行なう方法であり、その方法は、中央プロセッサを準備し、加入者データベースにダイナミックユーザプロファイルを与え、現在の位置情報を収集し、様々なソースからの情報を連続的にフィルタリングする。望まれるならば、配信用にフィルタリングされた情報は、他のソースからの付加的なコンテンツと共に増やされ、システムは、所定の基準が合致した時点を自動的に探索する。更に本方法は適切な配信モードを判定すること及び配信を実行することを含む。
【００１２】
上記は、当業者が本発明の以下の詳細な説明を一層詳しく理解できるように、本発明の特徴及び技術的利点を大ざっぱに概説している。本発明の更なる特徴及び利点は、以下に説明され、本発明の請求の対象になる。当業者は、本発明と同じ目的を遂行するために修正すること又は他の構造を設計することの基礎として、開示された概念及び特定の実施例を容易に利用できることを理解するであろう。当業者は、そのような等価な構成が最も広い形式の本発明の範囲及び精神から逸脱しないことも理解するであろう。
【発明を実施するための最良の形態】
【００１３】
詳細な説明に着手する前に、本明細書及び特許請求の範囲を通じて使用される所定の言葉や語句の定義を述べておくことが有利であろう：「含む（ｉｎｃｌｕｄｅ）」及び「有する（ｃｏｍｐｒｉｓｉｎｇ）」なる語及びその派生語は、限定のない包含を意味し；「又は」は及び／又はを意味することを含み；「関連付けられる」及び「それらに関連付けられる」及びその派生語は、含むこと、内部に含まれること、相互接続、包含、内部に包含されること、あるものに対する又はあるものとの接続、あるものに対する結合又はあるものとの結合、あるものと通信可能であること、協働すること、交互配置すること、並置すること、隣接すること、拘束されること、有すること、性質を有すること等を意味し；「コントローラ」なる語は、任意の装置、システム又はその一部を意味し、それらは装置がハードウエア、ファームウエア若しくはソフトウエア若しくはそれらの少なくとも２つの何らかの組合せで実現されるように、少なくとも１つの動作で制御する。特に、コントローラは、データプロセッサ及び関連するメモリを有し、メモリはデータプロセッサで実行される命令を格納する。ある特定のコントローラに関連付けられる機能は、ローカルに集中させてもよいし、リモートに分散させてもよいことに留意すべきである。所定の言葉及び語句についての定義は、本明細書及び特許請求の範囲を通じて与えられ、それが最も多くなかった場合でも、多くの場合に、そのような定義が、そのように定義された言葉及び語句の以前の及び将来的な使用に適用されることを当業者は理解するであろう。
【００１４】
本発明及びその利点のより完全な理解のために、添付図面と共に以下の説明が参照され、同様の番号は同様の対象を示す。
【００１５】
図１乃至７は、以下に説明され、この書類で本発明の原理を説明するために使用される様々な実施例は、例示に過ぎず、本発明の範囲を限定するように解釈されるべきではない。本発明の原理は適切に設けられた任意の情報ネットワークにて実現されてもよいことを、当業者は理解するであろう。
【００１６】
図１は、本発明の一実施例によるインテリジェント情報配信システム（ＩＩＤＳ）１００の概要を示すブロック図である。ＩＩＤＳを通じて、任意数のフォーマットで又は通信モードで多数のソースから受信された情報は処理され、加入者に選択的に配信される。「加入者」なる語は簡便に使用されるが、本発明によるシステム及び方法は、それら自身で、ユーザグループ内で又はＩＩＤＳサービスへの実際の申込により動作する単独又は複数の個人により使用されてもよいことに留意を要する。従って、「加入者」なる語はそれらの全体その他同様な状況にも使用されるであろう。情報収集サブシステム２００は、公的な又は私的な広範な様々なソースから情報を受信する。加入者はそれらのソースに何らかの加入を通じて自然に接続を与える必要がある。家庭用又は業務用では、ソースは当然にユーザによりインストールされ及び接続され、公的なソースは空中の電波を通じて到達するが、通常は受信装置はユーザによりインストールされる必要がある。加うるに、ユーザは、全ての所望の情報入力が、情報収集サブシステム２００に適切に接続されることを補償する必要がある。当然に、ユーザは、ユーザがこのプロセスに含まれる必要がないようにするために、入力（おそらくは、ローカル入力を含む）を収集及び結合する、単独のメディアソースから全ての入力を取得してもよい。言い換えれば、収集サブシステム２００はオンサイト（ｏｎ−ｓｉｔｅ）又はオフサイト（ｏｆｆ−ｓｉｔｅ）に設けられてもよい。
【００１７】
ここで使用されるように、「オンサイト」は、ユーザがかなりの時間の間発見されるであろう主要な場所として定義される場所（固定的又は移動可能）を一般的に言及する留意を要する。ＩＩＤＳ１００の目的は、情報をユーザに配信することである。加入者がある場所に留まっていたならば、このタスクはいくらか簡易であるが、典型的な加入者はそうではない。更に、ユーザの家庭又は仕事場は、彼又は彼女が最も頻繁に見出される場所であろう。収集サブシステム２００の要素は、必らずしもそうではないが、多くの場合にオンサイトに見出されるであろう。
【００１８】
情報が収集サブシステム２００により収集されると、それは情報パッケージングサブシステム４００に与えられる。パッケージングサブスして無４００は、収集した大量の情報の内どの部分が加入者に転送されるべきかを判別する。実際に受信した情報量は莫大であるが、その内の比較的僅かなパーセンテージがユーザに現在有効になる。インテリジェント情報配信システムデータベース７００に格納された情報を用いて、パッケージングサブシステム４００は、何のコンテンツが伝送されるべきか及び望まれるならば複数のソースから情報を結合するかを判別する。
【００１９】
目下関連する情報は以後情報配信サブシステム５００に伝送され、それは、その環境で最良の利用可能な手段でユーザに送信するための適切なフォーマットに情報を置く。この判定は、加入者位置サブシステム３００により与えられ及びＩＩＤＳデータベース７００に格納された位置情報に基づいて部分的に行なわれる。位置サブシステム７００は、ユーザの現在位置に関する情報を連続的に収集し、そのユーザが最も確からしく位置する場所についてデータベース７００に格納された情報を利用する。データベース７００は、オン又はオフサイトに設けられてもよい。好適実施例では、それは（不図示の）オンサイトＩＩＤＳサーバに収容される。ＩＩＤＳサーバは、専用のコンピュータ装置であってもよいし又はパーソナルコンピュータやテレビジョンセットトップボックスのような他の目的に使用される装置に常駐する機能であってもよく、図１に示されるサブシステムの全部又は一部を収容してもよい。同様に、データベース７００は分散されてもよく、即ち、本発明により格納される様々なデータは、それらが中央のＩＩＤＳサーバに設けられない場合には、様々なサブシステムに関連付けられる複数のデータ格納部に格納されてもよい。データは、最初に及び更新される時の双方にて、多くの場所でミラーされ、即ち複製され、同じ情報が１つの、２つの又は多くのサイトで記録されるようにする。しかしながら、簡便化及び簡明化のため、他のコンフィギュレーションが明示的に記述されない限り又は関連する記述の状況から明白でない限り、ここではデータベース７００はオンサイトＩＩＤＳサーバにある単独の格納装置として言及されている。
【００２０】
図７は、本発明の一実施例によるデータベース７００に格納される選択されたファイルのブロック図である。データベース７００には、加入者に対応する少なくとも１つのダイナミックプロファイル７１０がある。１より多くの加入者がＩＩＤＳ１００によりサービス提供され、ある加入者は必要ならば１より多くのプロファイルを使用してもよいことに留意を要する。例えば、ある距離隔てた都市に規則的に移動する加入者は、そこではあるプロファイルを使用し、家庭では別のものを使用してもよい。好適実施例では、単独のプロファイルは、個人の移動によらず、基本的な情報要請を依然として供給する一方、これら顕著に異なる情報要請の間で加入者が容易に切り換えることを許容する。
【００２１】
一般的な加入者ダイナミックプロファイル７１０は、通常の居場所及び仕事の場所に関する加入者の身元情報を含む。ある場所から別の場所へ一般的にたどる１つ又は複数の経路が、加入者によって入力として、又はタスクに利用可能なウェブサイトのような第三者サーバによって自動的に評価される入力として与えられる。経路に費やされる典型的な時間は、包含されることが望ましいが、更に直接的に入力されたり計算されてもよい。同様な形式で、教会への旅行、ロッジミーティング又は土曜日朝のゴルフ旅行のような他の規則的な又は準規則的な旅行が包含されてもよい。これらの入力は当然に消去され又は修正されるが、それらは単にデフォルトのアクティビティを表し、システムは、反対内容の入力が受信されない限り、時間どおりに管理されることが想定される。他方、休暇又は非日常的な旅行は、限定された期間として入力され又は満了日が与えられる。
【００２２】
データベース７００は、ダイナミックプロファイル７１０と相互参照される、利用可能な通信装置のリスト７２０も含む。装置リストは、例えば、全ての適用可能なｅメールアドレス、携帯電話番号、ウェブを利用する電話機、無線機及び有線電話を含む。これらの装置は、当然に、月並みなものである必要はなく、マーキーディスプレイリードアウト（ｍａｒｑｕｅｅ  ｄｉｓｐｌａｙ  ｒｅａｄｏｕｔ）、専用スピーカ等を含んでもよい。単独の装置は、当然に、１より多くの加入者にサービス提供してもよく、適用可能なプロファイル７１０の各々と相互に参照される。通信装置リスト７２０は、一般にオンサイトで利用可能な多くの装置を含み、例えば、家庭における加入者がその家庭内の彼らの場所によらずシステムによって通知されることができるようにする。アクセス可能なフォーマット又はプロトコルに加えて、各装置と共に、設定されるコンタクトに関するアドレス又は電話番号が列挙され、そのフォーマット又はプロトコルを通じて情報供給を受け入れる。これらの装置を通じて、情報配信の大部分が通常的には達成される。
【００２３】
ダイナミックプロファイルは、好ましい情報ソースのソースリスト７３０も含み、そこで加入者は情報を信頼する頻度が最も多い。好ましくは、このリストは、ラジオ及びＴＶ局及び特定の形式の情報が発見されるウェブサイトのような特定のチャネルを含む。或いは、それは、スポーツスコア、株式市場相場及び交通レポートのような情報のカテゴリを含んでもよい。また、一日の内の時間、その週の日又はイベントが指定され、特定の情報がその加入者に最も価値あるものになる時を示してもよい。リスト７３０内の情報の各ソースと共に、利用可能な１つ又は複数のフォーマットが格納される。幾つかのソースは１より多くを含み、例えば、ウェブサイトは、テキスト、ＨＴＭＬ及びマルチメディア情報を含み、テレビジョン局は音声、映像及びテキスト（字幕）のフォーマットを含む。通常のプログラム７４０は、しばしばではあるが、入力情報をその当初のフォーマットから様々な通信装置に受け入れられることの可能なフォーマットに変換することは常には必要とされず、これらの変換プログラムもデータベース７００に格納されてもよい。音声出力が好ましい場合には、入来するテキストファイルは、文字−音声変換により、音声に変換される、又は映像信号が音声部分に削減されてもよい。ここに説明される様々なＩＩＤＳ動作用のＩＩＤＳ制御プログラム７５０も、データベース７５０に常駐することが望ましい。
【００２４】
上述したようなダイナミックプロファイル７１０情報は、図１に示されるような入力端末６００により加入者から入力され、その端末はディスプレイ６０５及びキーボード６１０を含むが、マウス、ディスクドライブ、テープドライブ等のような他の装置を含んでもよい。予測されるように、必須ではないが、入力端末６００はオンサイトに設けられる。一実施例では、これらの要素は、ＩＩＤＳサーバ自身として使用されるパーソナルコンピュータの実際的な要素である。加入者プロファイルデータは、データベース７００に伝送することの可能な何らかの手法を与える、情報配信に使用される任意の通信装置を通じて入力されてもよい。
【００２５】
最後に、図１に示される様々なサブシステムに帰属する機能及び図７に示されるデータベースファイルは便宜的に描かれており、本発明に関する様々な要素及び特徴については、別の実施例では、同じ基本的な目的を達成するために、相違するグループ化がなされてもよいことに留意すべきである。
【００２６】
図２は、本発明の一実施例による、図１に示される情報収集サブシステム２００の選択された部分を示す詳細なブロック図である。情報収集サブシステム２００は、様々なソースから情報（しばしば、「コンテンツ」として言及される）を集める。そのようなソースは、ブロードキャストテレビジョン及びラジオ、ケーブルアンテナテレビジョン、衛星放送、プライベートネットワーク、仮想的プライベートネットワーク又は様々なローカル入力装置を含む。一般に、ローカルは、オンサイトで、即ち受信者に隣接する領域−通常的には、必須ではないが、居住地−から捕捉された入力を示する。そのようなローカル装置は、（セキュリティカメラのような）ビデオカメラ、温度計及び気圧計その他の気象観測機器、移動検出器、計量器並びに機器監視装置等を含んでもよい。図２に示される例では、そのような入力ソースの様々なグループからの入力は、ＴＶ入力プロセッサ２０５、ラジオ入力プロセッサ２１０、ホームビデオ（即ち、セキュリティ）カメラ入力プロセッサ２１５、インターネット入力プロセッサ２２０及び天候状態監視入力プロセッサ２２５のような入力プロセッサで処理される。他の入力プロセッサは必要に応じて含められてもよい。各々は図２に列挙されているが、使用されるソースに基づいて必要に応じて、複数の入力プロセッサを実際に備えてもよいことに留意を要する。個々の入力プロセッサの機能は、セレクタ／補助器２５０を用いてプロセッサ８００から指示されるように、それらの情報入力の１つを選択することであり、情報が、バッファメモリ８５０に伝搬すること又はセレクタ／補助器２５０により選択される場合に情報パッケージングサブシステム４００に伝搬することを可能にする。好適実施例では、入力プロセッサは、適用可能な場合に、所望の無線局を見出すために又は必要な情報に対するワールドワイドウェブを探すために、サーチ及び監視要求を処理する。
【００２７】
プロセッサ８００は、プロセッサ８００が通信を行うデータベース７００における制御プログラム７５０により指示されることが望ましいことに留意を要する。プロセッサ８００は、メモリ８５０とも通信を行い、メモリは制御プログラム７５０からの命令を実行する際に要求されるように使用される。上述したように、メモリ８５０は、データベース７００を用いて実行される機能が更に処理されるまで（又は、適用可能ならば、破棄されるまで）、受信した情報をバッファリングする。図２及び後続の図３−５では、プロセッサ８００、メモリ８５０、データベース７００は、それらがサブシステムの各々を提供する同一要素であるように列挙されているが、これは好都合な場合であり、必須ではない。
【００２８】
情報は、３つの個々のカテゴリの内少なくとも１つに該当すると考えられ、その各々は幾分異なって取り扱われることに留意を要する。第１は、情報の定常的なストリームである。複数のブロードキャストソース、ケーブル及び無線の双方は、常に利用可能であり、関連するコンテンツについて監視される。テレビジョン番組を監視及び分析する装置及び方法は、例えば、本願の譲受人に譲渡され、参考に供せられる、Ｔｈｏｍａｓ  ＭｃＧｅｅ，Ｎｅｖｅｎｋａ  Ｄｉｍｉｔｒｏｖａ，ａｎｄ  Ｌａｌｉｔｈａ  Ａｇｎｉｈｏｔｒｉ  による“Ｔｒａｎｓｃｒｉｐｔ  Ｔｒｉｇｇｅｒｓ  ｆｏｒ  Ｖｉｄｅｏ  Ｅｎｈａｎｃｅｍｅｎｔ”と題する米国特許出願番号第０９／６２７，１８８号に開示されている。これは受動的監視と呼ばれる、というのは、情報ソースは単に選択され、その内容がレビューされるからである。一方、能動的なサーチは、例えばワールドワイドウェブから利用可能であるような情報を利用するが、それは要求によりソースから送信されるに過ぎない。そのようなソースに関連する入力プロセッサは、プロセッサ８００により命令されるように及びダイナミックプロファイル７１０に従って、そのような要求を適切な時間に作成する。コンテンツ増補は、本願の出願人に譲渡され、参考に供せられる以下の特許出願にて更に説明されている：西暦２０００年３月２１日付けでＮ．Ｄｉｍｉｔｒｏｖａ，Ｌ．Ａｇｎｉｈｏｔｒｉ，Ｔ．ＭｃＧｅｅ，ａｎｄ  Ｎ．Ｍａｎｋｏｖｉｃｈ  により出願された“Ｓｙｓｔｅｍ  ａｎｄ  Ｍｅｔｈｏｄ  ｆｏｒ  Ａｕｔｏｍａｔｉｃ  Ｃｏｎｔｅｎｔ  Ｅｎｈａｎｃｅｍｅｎｔ  ｏｆ  Ｍｕｌｔｉｍｅｄｉａ  Ｏｕｔｐｕｔ  Ｄｅｖｉｃｅ”と題する米国特許出願  ０９／５３２，８４５号；西暦１９９９年７月９日付けでＮｅｖｅｎｋａ  Ｄｉｍｉｔｒｏｖａ  により出願された“Ｍｅｔｈｏｄ  ａｎｄ  Ａｐｐａｒａｔｕｓ  ｆｏｒ  Ｌｉｎｋｉｎｇ  ａ  Ｖｉｄｅｏ  Ｓｅｇｍｅｎｔ  ｔｏ  Ａｎｏｔｈｅｒ  Ｓｅｇｍｅｎｔ  ｏｒ  Ｉｎｆｏｒｍａｔｉｏｎ  Ｓｏｕｒｃｅ”と題する米国特許出願  ０９／３５１，０８６号（ＥＰＯ参照番号ＥＰ１１１０１５６Ａ１）；西暦２０００年７月２７日付けでＴ．ＭｃＧｅｅ，Ｎ．Ｄｉｍｉｔｒｏｖａ，ａｎｄ  Ｌ．Ａｇｎｉｈｏｔｒｉ  により出願された“Ｔｒａｎｓｃｒｉｐｔ  Ｔｒｉｇｇｅｒｓ  ｆｏｒ  Ｖｉｄｅｏ  Ｅｎｈａｎｃｅｍｅｎｔｓ”と題する米国特許出願  ０９／６２７，１８８号；及び西暦２００１年３月２７日付けでＮ．Ｄｉｍｉｔｒｏｖａ  ａｎｄ  Ｊａｎｅｖｓｋｉ  により出願された“Ａｕｔｏｍａｔｉｃ  Ｖｉｄｅｏ  Ｒｅｔｒｉｅｖｅｒ  Ｇｅｎｉｅ”と題する米国特許出願  ０９／８１８，３０３号。
【００２９】
特定の好適実施例では、第１形式又は第２形式の情報が、自動的に求められ及び処理される、というのは、加入者（又は少なくとも配信に利用可能にされているもの）に配信するように別の方法で予定されている情報にそれが関連するからである。「増補コンテンツ」と呼ばれるこの捕捉内容は、既に配信するためにマークされている情報に付加される、というのは、それが密接に関連し、加入者に付加的なコンテンツを与えるからである。「付加される」は、単に添付することを意味することもできるが、配信に適切な手法でインターリーブすることを含んでもよい。例えば、テキストに変換され、加入者の事務用コンピュータにｅメールとして送信されるボイスメールメッセージは、ハイパーリンクを用いて、ウェブを通じて利用可能な付加的な情報に拡張される。或いは、情報は、テキストとして、図形として又は音声ファイルとしてさえも、検索され及び添付されてもよい。当然に、このコンテンツ増補はダイナミックプロファイル７１０にて見出される趣向にも関連するであろう。
【００３０】
第３形式の入力は警報ソースから到来してもよい。これらの情報ソースは、情報入力システムと通信を行うが、所定のイベントの出現を除いて情報を送信しない。これらは、気象警報でもよいし、受信者のオフィスコンピュータネットワークから受信した単なる通知でもよい。一方、警報ソースは例えば火災報知のような実際の危険性に関する警報から起こってもよいが、その者の家庭応答装置による音声メッセージの受領のような、より穏やかなイベントの単なる通知であってもよい。この種の情報は名称及び番号等と共に増補されるが、彼らの典型的には個別化された、しばしば緊急的な性質に起因して、それは付加に規則的に委ねられなくてもよい。
【００３１】
要するに、図示の例では、収集サブシステム２００は、それに与えられる情報を様々な広範にわたるソースから収集し、必要に応じてそれを探索し、ダイナミックプロファイル７１０に従って所望のコンテンツを監視する。プロファイル７１０は、例えば、７：５８ａ．ｍ．に所与のラジオ局から与えられる交通情報に常に同調され又はそれが記録され、加入者が家を出る準備ができたときにその加入者に配信されることを指定する。また、ウェブサーチが周期的に行なわれ、加入者の経路に沿う道が言及されている場合にのみ配信することを指示してもよい。交通情報は、加入者が所定の事務所又は居住区域に至った場合には単に無視され、通勤の終わりを通知するようにしてもよい。言い換えれば、ある情報が正確に配信され（又は配信が少なくとも試行される）、例えばそのコンテンツ又は加入者の現在位置に依存して、所定の基準に合致した場合にのみ他の入力が配信される。収集サブシステム２００が情報を収集すると、配信用の情報を準備するためにそれはパッケージングサブシステム４００に伝送される。
【００３２】
図３は、本発明の一実施例による、図１に示される加入者位置サブシステム３００の選択された部分を詳細に示すブロック図である。制御プログラム７５０によって指示されるように、プロセッサ８００は、加入者の現在位置を規則的に監視し、ダイナミックプロファイル７１０を更新し、適切な通信装置に情報が送信されるようにする。上述したように、加入者位置は、情報がどのようにパッケージングされるかに加えて、配信用に収集及び処理される情報の形式に影響を与える。プロセッサ８００は、複数のセンサから受信した一データを使用してもよい。例えば、オンサイトで、加入者の位置は動きセンサを用いて高精度に判別され、そのセンサはオンサイトセンサインターフェース３１５によりロケーションサブシステム３００に入力を与え、そのシステムは例えば動きセンサからの入力を受信及び処理する。加入者は無線周波数（ＲＦ）バッジのような電子ＩＤをも身につけ、電子ＩＤはそのサイト内に分散する複数のセンサによりその者の場所を反復的に報告し、ダイナミックプロファイル７１０が更新されるようにプロセッサ８００に入力を与える。床実装又はフロアマウント（ｆｌｏｏｒ  ｍｏｕｎｔ）のセンサ及びマイクロフォンが使用されてもよい。家族構成員の各々は、システムが彼らを判別できるように異なる周波数のＲＦバッジを所有してもよい。マイクロフォン及びセキュリティカメラに関する用途では、音声及び顔認識プログラムが有利になるであろう。
【００３３】
オンサイトセンサは、例えば加入者が居住地を立ち去ったことを判別するのに有効である。家庭内で何らの動きも検出されなかった場合又は家庭カメラが加入者の車がガレージから発車することを検出した場合には、これらの示すものは、加入者が立ち去ったことを意味する。加入者の位置が正確に判別できない場合でさえも、加入者の車の中のグローバルポジショニングシステム（ＧＰＳ）装置が変化する座標を報告している場合には、加入者はおそらくはその車の中にいるであろう。これに従って情報は配信されることができる。（１人より多くの人々によって車が使用される場合には、プロファイル中のスケジュール表示内容は、車で実際に移動している者がその加入者であるか否かを判別することを支援する。）。
【００３４】
オフサイトのＧＰＳ送信機は位置情報を受信装置３２０に送信し、ネットワークインターフェース３２５を介して受信する無線電話又はパーソナルディジタルアシスタント（ＰＤＡ）を利用することは、（比較的低い精度で）加入者の位置の指標を誘発する。インターネットインターフェース３３０は間接的な手法ではあるが、有用である。仮に、何らのウェブサイトも加入者の動きを規則的に報告しないならば、例えば、飛行機が出発した又は到着した場合に、問い合わせを設定することも可能である。加入者の旅行計画を示すプロファイル情報７１０と共に、電子通信が不適切な所定の時間に対して、これは信頼性の高い指標になる。当然に、加入者インターフェース３３５により樹脂される直接的な加入者入力は、全ての中で最も信頼性の高いのものになろう。
【００３５】
センサ／ロケーション入力の欠落する場合に又はそれに付加的に、プロセッサ９００は、加入者の位置を近似するために、データベース７００に既に格納済みの情報を分析する。例えば、１時間前に起こった加入者の居住地からの出発は、加入者が現在は仕事についていることを推測できる、但し、そに反する入力がないものとする。最後に、ロケーションサブシステム３００により競合する位置情報が検出された場合には、データベース７００に適切な通知がなされる。本システムは、加入者が彼らの現在位置を確認することを要求するために、通信装置の全部に又は選択されたものに報知を送信してもよい。或いは、「ログイン」しているユーザに問い合わせを行なうことで又はユーザが位置を変更した場合は常に音声コマンドを与えることで、位置を見出することができる。例えば、車に乗り込むときに、加入者は「新しいロケーション．．．車」等と発声し、システムはその後に対応するロケーション情報を更新する（又は確認する）。
【００３６】
図４は、本発明の一実施例による、図１に示される情報パッケージングサブシステムの選択された部分を詳細に示すブロック図である。このサブシステムは、収集サブシステム２００により配信するために収集及び選択される情報を受信する。情報パッケージングシステム４００は、受信した情報を格納する入力バッファメモリ８５０を含む。プロセッサ８００は情報パッケージセグメント各々の終点を判定する。（このセグメントは、配信部である必要はなく、ユーザに完全に送信されることに何らの条件もないことに留意を要する）また、プロセッサ８００は、加入者の現在位置を判別するためにデータベース７００内で現在のロケーションファイルを検査する。現在の位置と共に、プロセッサは、その現在位置で加入者によりアクセス可能な通信装置の選択内容を再検討し、それらの内の１つ以上を、配信に最も適切なものとして選択する。この選択は、データベース７００にも格納される所定の基準に従って行なわれる。例えば、この基準は、配信される情報のタイプ及びフォーマット並びに相対的な重要度を含んでもよい。加入者の配信趣向が、ダイナミックプロファイル７１０に含まれ、それを考慮してもよい。１つ又は複数の装置が選択されると、情報は適切にパッケージ化される。パッケージングは、単に、配信する情報の部分を選択し、必要ならば、受信者装置の容量及び情報が配信される送信チャネルの容量に依存して複数セグメントに分割することを示す。また、パッケージングは、あるソースからの情報を別のものから取得したコンテンツと共に増補することを含む。本システムは、所定の環境下で付加的なコンテンツを探索するように構築されてもよい。例えば、非通常的に、音声及び映像部分を除去し、テキスト又は一連のテキストメッセージのみを送信することで、マルチメディアセグメントのサイズを小さくしてもよい。図４は情報パッケージングシステム４００の一般化された形式を示す。図４Ａに示される、より詳細な実施例では、入力信号（音声、映像、他のデータ又はその組合せ）は、情報パッケージングシステム４００ａに入り、トランスクリプト抽出器４１０に与えられ、複製内容は音声／映像データ入力信号から抽出される。それと同時に、番組種別分類部４１５は、（利用可能であれば）電子番組ガイドから抽出された分類情報を用いて、そのジャンルに基づいて、番組を分類する。或いは、番組ジャンルは、以下の文献に示されるような映像分析を用いて発見されることが可能である：Ｎｅｖｅｎｋａ  Ｄｉｍｉｔｒｏｖａ，Ｌａｒｉｔｈａ  Ａｇｎｉｈｏｔｒｉ  ａｎｄ  Ｇａｎｇ  Ｗｅｉ  により西暦１９９９年１２月１日に出願された“ＰＲＯＧＲＡＭ  ＣＬＡＳＳＩＦＩＣＡＴＩＯＮ  ＵＳＩＮＧ  ＯＢＪＥＣＴ  ＴＲＡＣＫＩＮＧ”と題する米国特許出願  ０９／４５２，５８１号；Ｋａｖｉｔｈａ  Ｄｅｖａｒａ  により西暦２０００年１２月１８日に出願された“Ａｐｐａｒａｔｕｓ  ａｎｄ  Ｍｅｔｈｏｄ  ｏｆ  Ｐｒｏｇｒａｍ  Ｃｌａｓｓｉｆｉｃａｔｉｏｎ  Ｕｓｉｎｇ  Ｏｂｓｅｒｖｅｄ  Ｃｕｅｓ  ｉｎ  ｔｈｅ  Ｔｒａｎｓｃｒｉｐｔ  Ｉｎｆｏｒｍａｔｉｏｎ”と題する米国特許出願  ０９／７３９，４７６号（顧客用管理番号ＵＳ０００３９７）。（これら２つ��出願の双方は、本願の譲受人により所有され、参考に供せられる。）。
【００３７】
キュー抽出／情報分析部４２５は、トランスクリプト抽出部４１０から複写物を受信し、知識データベース７００に存在するキューを探し、そのデータベースは、個々のニュースの記事のような新たなプログラムセグメントの開始を通知する。例えば、字幕ストリーム内や、「今夜のスポーツ」又は「天気［アナウンサ名と共に］」等のような一般的な導入語句に三重矢印が表われる。これらのキューは、当然に、番組形式分類部４１５により決定されるような番組の種別に基づく。新たな話又は記事の開始が見出されると、キュー抽出／情報分析部４２５は、コヒーレントであるようなテキストの部分を発見するためにテキスト内でノンストップワード（ｎｏｎ−ｓｔｏｐ  ｗｏｒｄ）を調べる。これは、同一又は同様な語が反復されることに起因して行なわれる。或いは、何らの開始点も見出されなかったならば、キュー抽出／情報分析部４２５は、テキストの隣接部分の間で最も非コヒーレントであるテキスト中の場所を探す。音声／映像分析部４２０は入力信号を受信し、その入力自身の性質に従って分析がなされる。例えば、音声信号は、特定の任意の時間において、それが会話、沈黙、音楽、雑音等を表すか否かに従って分類されることが可能である。同様に、入力信号の映像部分は、切断検出部に委ねられ、又は個々の番組部分に分類する場所を識別するためのカラー分析に委ねられる。最後に、セグメント４３０は、知識データベース４３５内の関連する情報と共に、音声／映像分析部４２０及びキュー抽出／情報分析部４２５の出力を受信し、その入力を用いてストーリー境界に関する推測を行なう。
【００３８】
この時点でパッケージ化された情報は、各セグメントの開始及び終了を示すフラグと（１つの項目は配信用の複数のセグメントに分割されてもよい）、それが送信されるべき１つ又は複数の装置の指標とを含む。パッケージングサブシステム４００は、複数の送信が要求される場合に、配信する情報を優先度付けし、ＩＩＤＳにとって情報量が多くて取り扱えない場合には、いくつかの情報を破棄する。これらの判定は、制御プログラム７５０の指示の下に、プロファイル７１０を参照しながら、プロセッサ８００によってなされる。
【００３９】
図５は、本発明の一実施例による、図１に示される情報配信サブシステムの選択された部分の詳細なブロック図である。この例では、パッケージングサブシステム４００によりパッケージ化される情報は、効果的に送信されるべき１つ又は複数の装置の指標と共に、標準的なフォーマットで配信サブシステム５００にて受信される。入力バッファ８５０に一時的に格納され、情報は、それがどのように送信されるべきかを判別するためにプロセッサ８００により調査される。そして、プロセッサ８００は、情報を適切な出力プロセッサに伝送するように出力セレクタ５１５に指示する。インターネット出力プロセッサ５２０は、例えば送信用にパケット化されたデータに情報を変換する。ＰＤＡ出力インターフェース５２５は、同様に、一般的にはＰＤＡのリソース及び表示能力に適合する方法に従って送信用出力を準備し、好ましくはそのＰＤＡは具体的に情報を受信することが期待されるものである。しかしながら、ある種の情報は別手法で取り扱われる。例えば、ラジオ局トラフィックレポートは、スピーカ又は移動電話に音声形式で全体に送信される。後者の場合には、加入者とのコンタクトが無線電話インターフェース５３０により実際に確認され、それをメモリから加入者に伝送するようにプロセッサが出力セレクタ５１５を指示する時まで、ブロードキャスト（放送内容）はバッファ８５０内にバッファされる。ボイスメールメッセージは同様な形式で取り扱われる。オンサイトスピーカインターフェース５３５は、単に、音声信号をオンサイトスピーカに又は加入者の現在のオンサイトロケーションに関連付けられる一群のスピーカに送信する。好ましくは、テキスト−音声又は音声認識フォーマットの変換器（図示せず）が包含され、必要に応じて使用される。一般に、フォーマット変換プログラム７４０は変換プロセスを管理する。プロセッサ８００の指示の下に別個の出力プロセッサが、単に便宜的に描かれているが、全ての入力ソース及び全ての出力装置を考察し、予定される変換プロセス各々を取り扱う処理部の数は任意である。図５に示される装置及び装置インターフェースは例示であり、本発明の範囲を制限することは意図されない。
【００４０】
情報収集サブシステム２００で受信された幾つかの情報は、適切な通信装置を介して加入者に単に配信される。例えば、加入者の予測される進行中の経路に沿う不都合な状況に関連する無線トラフィックレポートは、その加入者が目下位置する場所の提示者近辺のスピーカに配信される。加入者が既に通過中ならば、その情報は配信のためにカーラジオに転送され又は（適切にそのフォーマットを修正した後に）自動車電話に送信され、携帯式ｅメール装置へのｅメールとして送信され、又はページャへのメッセージとして送信される。実際の無線信号に行なわれるのは非常に少数であるが、本発明に従って配信するように、情報は依然としてパッケージ化され及びフォーマット化される。トランスコードに関する付加的な情報は、本願の参考に供せられる、Ｒ．Ｍｏｈａｎ，Ｊ．Ｓｍｉｔｈ  ＆  Ｃ．Ｓ．Ｌｉ，Ａｄａｐｔｉｎｇ  Ｍｕｌｔｉｍｅｄｉａ  Ｉｎｔｅｒｎｅｔ  Ｃｏｎｔｅｎｔ  ｆｏｒ  Ｕｎｉｖｅｒｓａｌ  Ａｃｃｅｓｓ，ＩＥＥＥ  ＴＲＡＮＳＡＣＴＩＯＮ  ＯＮ  ＭＵＬＴＩＭＥＤＩＡ（Ｍａｒｃｈ  １９９９），ｐｐ．１０４−１１４に開示されている。
【００４１】
図６は、本発明の一実施例によるＩＩＤＳ１００を動作させる方法を示すフローチャート６００である。最初に（開始のプロセスステップ）、システムハードウエアが、例えば上記の図１に関して説明されたように構築される。始めに、ＩＩＤＳ１００は、少なくとも１つの（部分的な又は完全な）加入者ダイナミックプロファイル７１０を受信し、データベース７００にその情報を格納する必要がある（プロセスステップ６０５）。加入者プロファイル７１０は「動的又はダイナミック」として言及される、というのは、通常の動作にて、それは補正に委ねられるだけでなく、新たな加入者位置を反映するようにそれは頻繁に変更され、通信装置に対応するリファレンスも更新されるからであることに留意を要する。ダイナミックプロファイルは頻繁に変更されることが予測されるが、しかしながら、そのように行なうことは必須ではない。このプロファイル７１０を用いて、収集サブシステム２００は、プロファイル７１０に従って、加入者に配信されるべき情報について、１以上の入力ソースを監視する（プロセスステップ６１０）。加入者の位置は、ロケーションサブシステム３００により決定され（及び頻繁に再決定され）、ダイナミックプロファイル７１０をデータベース７００に格納する（プロセスステップ６１５）。情報は、パッケージングサブシステム４００によって配信用に処理され（プロセスステップ６２０）、配信サブシステム５００によって適切にフォーマット化され、１以上の通信装置を介して加入者に配信される（プロセスステップ６２５）。複数のセグメントを含む（増補された又は増補されていない）情報を処理する際に、それらのセグメントは、（例えば、プロファイル７１０中の情報に従って）個々の配信用に優先度付けされる。最終的に、配信（又は予定された配信）の確認が、以後の参照用に選択的に記録される（図示せず）。
【００４２】
本発明は詳細に説明されてきたが、最も広い形式の本発明の範囲及び精神から逸脱せずに、当業者は、彼らが様々な変形、置換及び変更を行ない得ることを理解すべきである
【図面の簡単な説明】
【００４３】
【図１】本発明のインテリジェント情報配信システム（ＩＩＤＳ）の選択されたサブシステムに関する相互関係を示すブロック図である。
【図２】本発明の一実施例による、図１に示される情報収集サブシステムの選択された部分を詳細に示すブロック図である。
【図３】本発明の一実施例による、図１に示される加入者位置サブシステムの選択された部分を詳細に示すブロック図である。
【図４】本発明の一実施例による、図１に示される情報パッケージングサブシステムの選択された部分を示すブロック図である。
【図４Ａ】本発明の一実施例による、図１に示される情報パッケージングサブシステムの選択された部分を詳細に示すブロック図である。
【図５】本発明の一実施例による、図１に示される情報分散サブシステムの選択された部分を詳細に示すブロック図である。
【図６】本発明の一実施例によるＩＩＤＳを動作させる方法を示すフローチャートである。
【図７】本発明の一実施例によるデータベースに格納される選択されたファイルのブロック図である。
【図１】
2005510808.tif 000003
【図２】
2005510808.tif 000004
【図３】
2005510808.tif 000005
【図４】
2005510808.tif 000006
【図４Ａ】
2005510808.tif 000007
【図５】
2005510808.tif 000008
【図６】
2005510808.tif 000009
【図７】
2005510808.tif 000010
【国際調査報告】
2005510808.tif 000011
2005510808.tif 000012
2005510808.tif 000013